Podtech/llm-jp-corpus-v4-ja_patent huggingface dataset:
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
ネットワークを介してＦＡＸデータなどを包含する印刷データを受信する多機能印刷装置と、該多機能印刷装置に接続された複数の機器とを含む印刷データ処理システムであって、
前記多機能印刷装置は、
宛先キーワードと宛先のネットワークアドレスと該ネットワークアドレスに対応する機器とを対応づけした宛先テーブルを記憶する記憶手段と、
受信した印刷データから文字データを抽出する手段と、
前記文字データを解析して、受信した前記印刷データの宛先を識別する手段と、
識別した宛先と前記宛先テーブルとを照合することにより、該当する宛先が保有している機器と、それらのネットワークアドレスを獲得する手段と、
獲得したネットワークアドレスを有する１つの機器を選択し、選択した機器に前記印刷データ受信があることを知らせる手段と、
前記選択した機器から前記印刷データの処理選択の結果を受信し、指定された機器で指定された処理を実行する手段と、
を備え、
前記多機能印刷装置が選択した機器は、
前記多機能印刷装置により知らされた前記印刷データ受信の存在を記号表示する手段と、
表示された前記記号を操作する操作手段と、
該操作手段の操作に応じて前記多機能印刷装置が抽出した文字データを表示する手段と、
前記機器を勘案した前記印刷データの処理選択を提示し、提示された前記処理選択から処理を選択し前記処理選択の結果を前記多機能印刷装置に送信する手段と、
を備えることを特徴とする印刷データ処理システム。
【請求項２】
前記選択した機器から前記印刷データの処理選択の結果を受信し、指定された機器で指定された処理を実行する手段は、受信した前記処理選択の結果に応じて前記多機能印刷装置からのデータ表示方法を変更するか、または、データ表示処理の継続を行なうことを特徴とする請求項１記載の印刷データ処理システム。
【請求項３】
前記選択した機器から前記印刷データの処理選択の結果を受信し、指定された機器で指定された処理を実行する手段は、受信した前記処理選択の結果に応じて前記選択された機器から指定されたパソコンに前記印刷データを保管し、または、前記選択された機器から指定されたプリンタで印刷を行なうことを特徴とする請求項１記載の印刷データ処理システム。
【請求項４】
前記宛先テーブルは、宛先毎のパスワード情報、宛先毎の生体認識情報、または、文書保管権限の有無を示す情報を格納し、前記多機能印刷装置は、前記多機能印刷装置によって選択された機器での処理起動時に、前記宛先テーブルに格納された情報についてパスワード入力で認証する手段、生体認識情報入力で認証する手段、または、文書保管権限の有無により文書保管を制御する手段、を備えることを特徴とする請求項１記載の印刷データ処理システム。
【請求項５】
前記多機能印刷装置によって選択された機器は、起動時に、前記宛先テーブルに格納された情報と比較するためにパスワード入力手段、または、生体認識情報入力手段を備えることを特徴とする請求項４記載の印刷データ処理システム。
【請求項６】
前記多機能印刷装置は、
前記印刷データに宛名業務指示文書を付加する手段と、
前記宛名業務指示文書を出力するための情報を付加する手段と、
を備え、
前記多機能印刷装置が選択した機器は、
前記宛名業務指示文書を出力するために付加された情報を解析して、処理する手段、
を備えることを特徴とする請求項１記載の印刷データ処理システム。
【請求項７】
前記宛名業務指示文書を出力するための情報として、印刷データの種類や用紙サイズなどを示すデータ種と、印刷することが可能なプリンタの種類を示すプリンタ種とを含むことを特徴とする請求項６記載の印刷データ処理システム。
【請求項８】
前記宛先テーブルは、宛先毎のパスワード情報、宛先毎の生体認識情報、または、文書保管権限の有無を示す情報を格納し、前記多機能印刷装置は、前記多機能印刷装置によって選択された機器での処理起動時に、前記宛先テーブルに格納された情報についてパスワード入力で認証する手段、生体認識情報入力で認証する手段、または、文書保管権限の有無により文書保管を制御する手段、を備えることを特徴とする請求項６記載の印刷データ処理システム。
【請求項９】
前記多機能印刷装置によって選択された機器は、起動時に、前記宛先テーブルに格納された情報と比較するためにパスワード入力手段、または、生体認識情報入力手段を備えることを特徴とする請求項８記載の印刷データ処理システム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
上記課題を解決するために本発明は、ネットワークを介してＦＡＸデータなどを包含する印刷データを受信する多機能印刷装置と、該多機能印刷装置に接続された複数の機器とを含む印刷データ処理システムであって、前記多機能印刷装置は、宛先キーワードと宛先のネットワークアドレスと該ネットワークアドレスに対応する機器とを対応づけした宛先テーブルを記憶する記憶手段と、受信したＦＡＸデータなどを包含する印刷データから文字データを抽出する手段と、前記文字データを解析して、受信した前記印刷データの宛先を識別する手段と、識別した宛先と前記宛先テーブルとを照合することにより、該当する宛先が保有している機器と、それらのネットワークアドレスを獲得する手段と、獲得したネットワークアドレスを有する１つの機器を選択し、選択した機器に前記印刷データ受信があることを知らせる手段と、前記選択した機器から前記印刷データの処理選択の結果を受信し、指定された機器で指定された処理を実行する手段と、を備え、前記多機能印刷装置が選択した機器は、前記多機能印刷装置により知らされた前記印刷データ受信の存在を記号表示する手段と、表示された前記記号を操作する操作手段と、該操作手段の操作に応じて前記多機能印刷装置が抽出した文字データを表示する手段と、前記機器を勘案した前記印刷データの処理選択を提示し、提示された前記処理選択から処理を選択し前記処理選択の結果を前記多機能印刷装置に送信する手段と、を備えることを特徴とする。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
被写体の撮像を行うＸＹアドレス方式の撮像素子と、
前記被写体に閃光を発する閃光手段と、
前記撮像素子への入射光量を調節するための絞りと、
前記絞りを駆動する絞り駆動手段と、
前記撮像素子を駆動する撮像素子駆動手段と、
前記閃光手段から発せられた予備発光に基づき前記撮像素子で撮像された画像データに応じて前記閃光手段から発する前記被写体の撮像に係る本発光量を算出する場合に、前記撮像素子の電子シャッタースピードが、前記撮像素子の全読み出しラインにおける露光時間が重なるタイミングが存在する電子シャッタースピードであるか否かを判断し、
前記判断の結果、前記撮像素子の全読み出しラインにおける露光時間が重なるタイミングが存在する電子シャッタースピードである場合には、前記撮像素子の各読み出しラインにおける露光時間の開始タイミングが順次移動するローリングシャッターで読み出しを行うように前記撮像素子駆動手段を制御するとともに前記露光時間が重なるタイミングで前記閃光手段が予備発光を行うように制御し、
前記判断の結果、前記撮像素子の全読み出しラインにおける露光時間が重なるタイミングが存在しない電子シャッタースピードである場合には、前記撮像素子の各読み出しラインにおける露光時間の開始タイミングを合致させるグローバルシャッターで読み出しを行うように前記撮像素子駆動手段を制御するとともに前記露光時間が重なるタイミングで前記閃光手段が予備発光を行うように制御し、さらに前記撮像素子から前記画像データの読み出しを行う前に、前記絞りを閉じることで前記撮像素子を遮光するように前記絞り駆動手段を制御する制御手段と、
を有することを特徴とする撮像装置。
【請求項２】
被写体の撮像を行うＸＹアドレス方式の撮像素子と、前記被写体に閃光を発する閃光手段と、前記撮像素子への入射光量を調節するための絞りとを具備する撮像装置の制御方法であって、
前記閃光手段から発せられた予備発光に基づき前記撮像素子で撮像された画像データに応じて前記閃光手段から発する前記被写体の撮像に係る本発光量を算出する場合に、前記撮像素子の電子シャッタースピードが、前記撮像素子の全読み出しラインにおける露光時間が重なるタイミングが存在する電子シャッタースピードであるか否かを判断し、
前記判断の結果、前記撮像素子の全読み出しラインにおける露光時間が重なるタイミングが存在する電子シャッタースピードである場合には、前記撮像素子の各読み出しラインにおける露光時間の開始タイミングが順次移動するローリングシャッターで読み出しを行うように制御するとともに前記露光時間が重なるタイミングで前記閃光手段が予備発光を行うように制御し、
前記判断の結果、前記撮像素子の全読み出しラインにおける露光時間が重なるタイミングが存在しない電子シャッタースピードである場合には、前記撮像素子の各読み出しラインにおける露光時間の開始タイミングを合致させるグローバルシャッターで読み出しを行うように制御するとともに前記露光時間が重なるタイミングで前記閃光手段が予備発光を行うように制御し、さらに前記撮像素子から前記画像データの読み出しを行う前に、前記絞りを閉じることで前記撮像素子を遮光するように制御することを特徴とする撮像装置の制御方法。
【手続補正２】
【補正対象書類名】明細書
【補正対象項目名】００１４
【補正方法】変更
【補正の内容】
【００１４】
本発明の撮像装置は、被写体の撮像を行うＸＹアドレス方式の撮像素子と、前記被写体に閃光を発する閃光手段と、前記撮像素子への入射光量を調節するための絞りと、前記絞りを駆動する絞り駆動手段と、前記撮像素子を駆動する撮像素子駆動手段と、前記閃光手段から発せられた予備発光に基づき前記撮像素子で撮像された画像データに応じて前記閃光手段から発する前記被写体の撮像に係る本発光量を算出する場合に、前記撮像素子の電子シャッタースピードが、前記撮像素子の全読み出しラインにおける露光時間が重なるタイミングが存在する電子シャッタースピードであるか否かを判断し、前記判断の結果、前記撮像素子の全読み出しラインにおける露光時間が重なるタイミングが存在する電子シャッタースピードである場合には、前記撮像素子の各読み出しラインにおける露光時間の開始タイミングが順次移動するローリングシャッターで読み出しを行うように前記撮像素子駆動手段を制御するとともに前記露光時間が重なるタイミングで前記閃光手段が予備発光を行うように制御し、前記判断の結果、前記撮像素子の全読み出しラインにおける露光時間が重なるタイミングが存在しない電子シャッタースピードである場合には、前記撮像素子の各読み出しラインにおける露光時間の開始タイミングを合致させるグローバルシャッターで読み出しを行うように前記撮像素子駆動手段を制御するとともに前記露光時間が重なるタイミングで前記閃光手段が予備発光を行うように制御し、さらに前記撮像素子から前記画像データの読み出しを行う前に、前記絞りを閉じることで前記撮像素子を遮光するように前記絞り駆動手段を制御する制御手段と、を有する。
【手続補正３】
【補正対象書類名】明細書
【補正対象項目名】００１５
【補正方法】変更
【補正の内容】
【００１５】
本発明の撮像装置の制御方法は、被写体の撮像を行うＸＹアドレス方式の撮像素子と、前記被写体に閃光を発する閃光手段と、前記撮像素子への入射光量を調節するための絞りとを具備する撮像装置の制御方法であって、前記閃光手段から発せられた予備発光に基づき前記撮像素子で撮像された画像データに応じて前記閃光手段から発する前記被写体の撮像に係る本発光量を算出する場合に、前記撮像素子の電子シャッタースピードが、前記撮像素子の全読み出しラインにおける露光時間が重なるタイミングが存在する電子シャッタースピードであるか否かを判断し、前記判断の結果、前記撮像素子の全読み出しラインにおける露光時間が重なるタイミングが存在する電子シャッタースピードである場合には、前記撮像素子の各読み出しラインにおける露光時間の開始タイミングが順次移動するローリングシャッターで読み出しを行うように制御するとともに前記露光時間が重なるタイミングで前記閃光手段が予備発光を行うように制御し、前記判断の結果、前記撮像素子の全読み出しラインにおける露光時間が重なるタイミングが存在しない電子シャッタースピードである場合には、前記撮像素子の各読み出しラインにおける露光時間の開始タイミングを合致させるグローバルシャッターで読み出しを行うように制御するとともに前記露光時間が重なるタイミングで前記閃光手段が予備発光を行うように制御し、さらに前記撮像素子から前記画像データの読み出しを行う前に、前記絞りを閉じることで前記撮像素子を遮光するように制御する。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
ページ記述言語で記述されたコマンドを解釈し、カラープロファイルを用いて色変換を行う手段と、
前記色変換において、前記カラープロファイルとして、デバイスリンクプロファイルを用いた場合、前記色変換後のデータに対する画像補正として１次元キャリブレーションを設定し、前記色変換において、前記カラープロファイルとして、ソースプロファイルとデスティネーションプロファイルとを用いた場合、前記色変換後のデータに対する画像補正として多次元キャリブレーションを設定する設定手段と、
前記設定手段によって設定されたキャリブレーションを行い、前記色変換後のデータを補正する補正手段とを有することを特徴とする画像処理装置。
【請求項２】
ページ記述言語で記述されたコマンドを解釈し、カラープロファイルを用いて色変換を行う工程と、
前記色変換において、前記カラープロファイルとして、デバイスリンクプロファイルを用いた場合、前記色変換後のデータに対する画像補正として１次元キャリブレーションを設定し、前記色変換において、前記カラープロファイルとして、ソースプロファイルとデスティネーションプロファイルとを用いた場合、前記色変換後のデータに対する画像補正として多次元キャリブレーションを設定する設定工程と、
前記設定工程において設定されたキャリブレーションを行い、前記色変換後のデータを補正する補正工程とを有することを特徴とする画像処理方法。
【請求項３】
請求項２記載の画像処理方法をコンピュータに実行させるためのプログラム。
【手続補正２】
【補正対象書類名】明細書
【補正対象項目名】００１７
【補正方法】変更
【補正の内容】
【００１７】
本発明は、画像処理装置であって、ページ記述言語で記述されたコマンドを解釈し、カラープロファイルを用いて色変換を行う手段と、前記色変換において、前記カラープロファイルとして、デバイスリンクプロファイルを用いた場合、前記色変換後のデータに対する画像補正として１次元キャリブレーションを設定し、前記色変換において、前記カラープロファイルとして、ソースプロファイルとデスティネーションプロファイルとを用いた場合、前記色変換後のデータに対する画像補正として多次元キャリブレーションを設定する設定手段と、前記設定手段によって設定されたキャリブレーションを行い、前記色変換後のデータを補正する補正手段とを有することを特徴とする。
【手続補正３】
【補正対象書類名】明細書
【補正対象項目名】００１８
【補正方法】変更
【補正の内容】
【００１８】
また、本発明は、画像処理方法であって、ページ記述言語で記述されたコマンドを解釈し、カラープロファイルを用いて色変換を行う工程と、前記色変換において、前記カラープロファイルとして、デバイスリンクプロファイルを用いた場合、前記色変換後のデータに対する画像補正として１次元キャリブレーションを設定し、前記色変換において、前記カラープロファイルとして、ソースプロファイルとデスティネーションプロファイルとを用いた場合、前記色変換後のデータに対する画像補正として多次元キャリブレーションを設定する設定工程と、前記設定工程において設定されたキャリブレーションを行い、前記色変換後のデータを補正する補正工程とを有することを特徴とする。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
画像データを画像形成装置に出力する画像処理装置と、前記画像データに基づいて画像を形成する画像形成装置とを含むシステムであって、
前記画像処理装置および前記画像形成装置は、それぞれ、
前記画像データを記憶する記憶手段と、
前記画像形成装置と前記画像処理装置との間で、セキュリティの種類を示す情報を通信する通信手段と、
前記通信手段によって通信された情報で示される前記セキュリティの種類に従って、それぞれの装置の前記記憶手段に記憶されている前記画像データに対して処理を実行する実行手段と
を備えることを特徴とするシステム。
【請求項２】
前記画像データに対しての処理は、
前記通信手段により通信された情報で示される前記セキュリティの種類に従って、画像データを消去する複数の消去方式から１つの消去方式を選択し、選択された消去方式で前記記憶手段に記憶されている画像データを消去する処理であることを特徴とする請求項１に記載のシステム。
【請求項３】
前記複数の消去方式は、画像データを論理的に消去する方式と、画像データを論理的に消去し、かつ、画像データが使用していた領域に特定の値を書き込む方式と、画像データを論理的に消去し、かつ、画像データが使用していた領域にランダムな値を書き込む方式と、画像データを論理的に消去し、かつ、画像データが使用していた領域にランダムな値を複数回書き込む方式のうち、少なくとも２つの消去方式であることを特徴とする請求項２に記載のシステム。
【請求項４】
前記画像処理装置は、前記画像形成装置の記憶手段に記憶されている画像データにパスワードが設定されているか否かを判定するパスワード判定手段をさらに備え、
前記パスワード判定手段による判定の結果、前記パスワードが設定されていると判定された場合には、
前記画像処理装置は、前記画像処理装置の記憶手段に記憶されている画像データを消去することを特徴とする請求項２又は３に記載のシステム。
【請求項５】
画像データを画像形成装置に出力する画像処理装置と、前記画像データに基づいて画像を形成する画像形成装置とを含み、前記画像処理装置および前記画像形成装置はそれぞれ前記画像データを記憶する記憶手段を備えたシステムにおいて実行される制御方法であって、
前記画像処理装置および前記画像形成装置は、前記画像形成装置と前記画像処理装置との間で、セキュリティの種類を示す情報を通信する通信工程と、
前記画像処理装置および前記画像形成装置は、前記通信工程において通信された情報で示されるセキュリティの種類に従って、それぞれの前記記憶手段に記憶されている画像データに対して処理を実行する実行工程と
を備えることを特徴とする制御方法。
【請求項６】
画像データに基づいて画像形成を行なう画像形成装置に対して、前記画像データを送信する画像処理装置であって、
前記画像データを記憶する記憶手段と、
前記画像形成装置からセキュリティの種類を示す情報を受信する受信手段と、
前記受信手段により受信した情報が示す、前記画像形成装置において設定されたセキュリティの種類に従って、前記記憶手段に記憶されている画像データの消去方式を決定する決定手段と
を備えることを特徴とする画像処理装置。
【請求項７】
画像処理装置から受信した画像データに基づいて、画像を形成する画像形成装置であって、
前記画像データを記憶する記憶手段と、
前記画像処理装置からセキュリティの種類を示す情報を受信する受信手段と、
前記受信手段により受信した情報が示す、前記画像処理装置において設定されたセキュリティの種類に従って、前記記憶手段に記憶されている画像データの消去方式を決定する決定手段と
を備えることを特徴とする画像形成装置。
【請求項８】
画像データを画像形成装置に出力する画像処理装置と、前記画像データに基づいて画像を形成する画像形成装置とを含み、それぞれが前記画像データを記憶する記憶手段を備えるシステムにおいて実行されるプログラムであって、
前記画像形成装置と前記画像処理装置との間で、セキュリティの種類を示す情報を通信する通信手段と、
前記画像形成装置と前記画像処理装置を、前記通信手段によって通信された情報で示されるセキュリティの種類に従って、それぞれの前記記憶手段に記憶されている画像データに対する処理を実行する実行手段と
してコンピュータを機能させることを特徴とするプログラム。
【手続補正２】
【補正対象書類名】明細書
【補正対象項目名】０００７
【補正方法】変更
【補正の内容】
【０００７】
上記目的を達成するため、画像データを画像形成装置に出力する画像処理装置と、前記画像データに基づいて画像を形成する画像形成装置とを含むシステムであって、
前記画像処理装置および前記画像形成装置は、それぞれ、
前記画像データを記憶する記憶手段と、
前記画像形成装置と前記画像処理装置との間で、セキュリティの種類を示す情報を通信する通信手段と、
前記通信手段によって通信された情報で示される前記セキュリティの種類に従って、それぞれの装置の前記記憶手段に記憶されている前記画像データに対して処理を実行する実行手段と
を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
被写体像を光電変換する撮像素子と、
前記撮像素子の前方に配置された光学素子と、
前記光学素子を振動させる圧電素子を備える加振装置と、
前記圧電素子に電圧を印加するための駆動手段と、
前記駆動手段と前記圧電素子との間に接続され、前記駆動手段により電圧が印加されたときに前記圧電素子に供給される電流を制限する電流制限抵抗と、
前記圧電素子に印加される電圧の立ち上がり時又は立ち下がり時に前記電流制限抵抗の両端に発生する電圧に基づいて、前記加振装置の故障を検出する検出手段と、
を具備することを特徴とする撮像装置。
【請求項２】
前記検出手段はトランジスタを備え、前記検出手段は、前記電流制限抵抗の両端に発生する電圧が前記トランジスタのベースとエミッタ間に印加されたときのコレクタからの出力信号に基づいて、前記加振装置の故障を検出することを特徴とする請求項１に記載の撮像装置。
【請求項３】
加振装置であって、
圧電素子と、
前記圧電素子に電圧を印加するための駆動手段と、
前記駆動手段と前記圧電素子との間に接続され、前記駆動手段により電圧が印加されたときに前記圧電素子に供給される電流を制限する電流制限抵抗と、
前記圧電素子に印加される電圧の立ち上がり時又は立ち下がり時に前記電流制限抵抗の両端に発生する電圧に基づいて、前記加振装置の故障を検出する検出手段と、
を具備することを特徴とする加振装置。
【請求項４】
前記検出手段はトランジスタを備え、前記検出手段は、前記電流制限抵抗の両端に発生する電圧が前記トランジスタのベースとエミッタ間に印加されたときのコレクタからの出力信号に基づいて、前記加振装置の故障を検出することを特徴とする請求項３に記載の加振装置。
【手続補正２】
【補正対象書類名】明細書
【補正対象項目名】発明の名称
【補正方法】変更
【補正の内容】
【発明の名称】撮像装置及び加振装置
【手続補正３】
【補正対象書類名】明細書
【補正対象項目名】０００９
【補正方法】変更
【補正の内容】
【０００９】
上述した課題を解決し、目的を達成するために、本発明に係わる撮像装置は、被写体像を光電変換する撮像素子と、前記撮像素子の前方に配置された光学素子と、前記光学素子を振動させる圧電素子を備える加振装置と、前記圧電素子に電圧を印加するための駆動手段と、前記駆動手段と前記圧電素子との間に接続され、前記駆動手段により電圧が印加されたときに前記圧電素子に供給される電流を制限する電流制限抵抗と、前記圧電素子に印加される電圧の立ち上がり時又は立ち下がり時に前記電流制限抵抗の両端に発生する電圧に基づいて、前記加振装置の故障を検出する検出手段と、を具備することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、本発明に係わる加振装置は、加振装置であって、圧電素子と、前記圧電素子に電圧を印加するための駆動手段と、前記駆動手段と前記圧電素子との間に接続され、前記駆動手段により電圧が印加されたときに前記圧電素子に供給される電流を制限する電流制限抵抗と、前記圧電素子に印加される電圧の立ち上がり時又は立ち下がり時に前記電流制限抵抗の両端に発生する電圧に基づいて、前記加振装置の故障を検出する検出手段と、を具備することを特徴とする。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
入射光を電気的な画像信号に変換して出力する撮像素子と、
絞りと、
測光手段と、
予め定められた絞り値、前記撮像素子の感度、及び前記測光手段により得られた測光値とに基づいてシャッター速度を算出するシャッター速度算出手段と、
前記撮像素子の前方に配置された光学部材の表面に付着した異物を撮影して該異物の像を検出する、異物検出を指示する指示手段と、
前記指示手段による異物検出の指示に応じて、前記シャッター速度算出手段により算出されたシャッター速度が、予め定められたシャッター速度よりも遅いか否かを判定する判定手段と、
前記判定手段により、前記予め定められたシャッター速度よりも前記算出されたシャッター速度が遅くないと判定された場合には、前記絞り値及び前記感度を変更せず、前記予め定められたシャッター速度よりも前記算出されたシャッター速度が遅いと判定された場合には、前記予め定められたシャッター速度より遅くないシャッター速度となるように、前記絞り値及び前記感度の少なくとも一方を変更する変更する設定手段と、
前記設定手段により確定した前記絞り値、前記感度、及び前記シャッター速度を用いて、前記撮像素子により異物検出用の画像を撮影するように制御する制御手段と
を有することを特徴とする撮像装置。
【請求項２】
前記予め定められた絞り値は、前記撮像装置が設定し得る、前記絞りを最も絞り込ませる値であることを特徴とする請求項１に記載の撮像装置。
【請求項３】
前記撮像素子の出力の増幅率を規定することで、前記感度を設定する感度設定手段を更に有し、
前記シャッター速度算出手段は、前記指示手段から異物検出が指示された場合に、前記感度設定手段により設定された予め定められた感度を用いて前記シャッター速度を算出することを特徴とする請求項１または２に記載の撮像装置。
【請求項４】
前記制御手段の制御により取得した異物検出用の画像に基づいて異物情報を検出する異物情報検出手段と、
前記撮像素子から出力される画像信号を処理して得られる画像ファイルに前記異物情報もしくは前記異物情報へのリンク情報を付加する付加手段と
を更に有することを特徴とする請求項１乃至３のいずれか１項に記載の撮像装置。
【請求項５】
前記制御手段の制御により取得した異物検出用の画像に基づいて異物情報を検出する異物情報検出手段と、
前記撮像素子から出力される画像信号を前記異物情報に基づいて補正する補正手段と
を更に有することを特徴とする請求項１乃至３のいずれか１項に記載の撮像装置。
【請求項６】
表示手段を更に有し、
前記異物検出用の画像を撮影する場合に、前記異物検出用の画像以外の画像を撮影する場合と異なる、少なくともシャッター速度を含む表示を前記表示手段に行うことを特徴とする請求項１乃至５のいずれか１項に記載の撮像装置。
【請求項７】
前記シャッター速度算出手段により算出したシャッター速度が前記予め設定されたシャッター速度よりも遅いと判定された場合、前記設定手段は、前記絞り値を、予め定められた精度内で前記異物情報を検出可能な結像状態を確保できる範囲内で変更することを特徴とする請求項４または５に記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００７
【補正方法】変更
【補正の内容】
【０００７】
上記目的を達成するために、本発明の撮像装置は、入射光を電気的な画像信号に変換して出力する撮像素子と、絞りと、測光手段と、予め定められた絞り値、前記撮像素子の感度、及び前記測光手段により得られた測光値とに基づいてシャッター速度を算出するシャッター速度算出手段と、前記撮像素子の前方に配置された光学部材の表面に付着した異物を撮影して該異物の像を検出する、異物検出を指示する指示手段と、前記指示手段による異物検出の指示に応じて、前記シャッター速度算出手段により算出されたシャッター速度が、予め定められたシャッター速度よりも遅いか否かを判定する判定手段と、前記判定手段により、前記予め定められたシャッター速度よりも前記算出されたシャッター速度が遅くないと判定された場合には、前記絞り値及び前記感度を変更せず、前記予め定められたシャッター速度よりも前記算出されたシャッター速度が遅いと判定された場合には、前記予め定められたシャッター速度より遅くないシャッター速度となるように、前記絞り値及び前記感度の少なくとも一方を変更する変更する設定手段と、前記設定手段により確定した前記絞り値、前記感度、及び前記シャッター速度を用いて、前記撮像素子により異物検出用の画像を撮影するように制御する制御手段とを有する。
【手続補正４】
【補正対象書類名】明細書
【補正対象項目名】０００８
【補正方法】削除
【補正の内容】
【手続補正書】
【提出日】平成21年1月6日(2009.1.6)
【手続補正１】
【補正対象書類名】明細書
【補正対象項目名】００２４
【補正方法】変更
【補正の内容】
【００２４】
前記筒状布部材１３は前記カバー体１１と同様に防水性シート材で構成され、上下端を開口すると共に上端を腕先挿入用開口部１７と連通させて前記輪状体１２から前記カバー体１１内に垂下して設けてある。この実施の形態の筒状布部材１３は下端を手首を挿入可能な大きさに開口した逆円錐筒状に形成してある。
なお、この場合において、筒状布部材１３は前記カバー体１１と別体に形成することができるが、前記カバー体１１に延設して前記カバー体１１と一体的に形成することもできる。また、筒状布部材１３の長さは適当に決定する。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
遊技が実行される遊技装置と、
当該遊技装置の前側に設けられ、遊技装置における遊技を視認可能とする窓パネル部と、
前記遊技装置の後側に設けられ、遊技装置における遊技結果に基づいて遊技球を払い出す払出装置と、
前記窓パネル部の下方に設けられ、前記払出装置から払い出された遊技球を貯留する球受け皿と、
前記遊技装置に対して前方に回動可能に設けられ、前記窓パネル部及び前記球受け皿を有する遊技機前面体と、
当該遊技機前面体に設けられ入口部にて受けた遊技球を前記球受け皿へ導く第１通路部、及び前記遊技機前面体の開放に際して当該遊技機前面体の取付対象側に残るように設けられ前記第１通路部よりも上流側を構成し前記入口部に遊技球を導く第２通路部を有し、前記払出装置から払い出された遊技球を前記球受け皿に導く受け皿通路と、
前記遊技機前面体が開放された場合に前記第２通路部の遊技球の通過を阻止する通過阻止手段とを備え、
前記第１通路部の前記入口部を、上方に開放させて形成するとともに、前記第２通路部の出口部を、前記遊技機前面体を閉鎖した状態において前記入口部と上下に対向するように下方に開放させて形成し、
前記第１通路部を形成する第１通路形成体に、前記遊技機前面体の開放に際して前記入口部から零れた遊技球を受ける球受け部を設けたことを特徴とする遊技機。
【請求項２】
前記零れ球を前記第１通路部に導くように前記球受け部を形成したことを特徴とする請求項１に記載の遊技機。
【請求項３】
前記遊技装置は遊技球が流下する遊技領域が形成された遊技領域形成体であり、前記遊技領域に向けて遊技球を発射する遊技球発射機構と、当該遊技球発射機構から発射された遊技球を前記遊技領域の上部に誘導する誘導レールとを左右方向に離間させて備え、
前記第１通路形成体には、前記遊技球発射機構と前記誘導レールとの間に配置され、前記遊技球発射機構から発射され前記遊技領域の上部に至らずに前記誘導レールを逆流した遊技球を回収し前記第１通路部に導くファール球通路を形成し、
前記球受け部は、前記第１通路部の入口部側から前記ファール球通路に向けて延び前記零れ球を前記ファール球通路に導く球受け通路であることを特徴とする請求項２に記載の遊技機。
【請求項４】
前記球受け部を、前記第１通路部の前記入口部に対して前記遊技機前面体の少なくとも回動先端側に設けたことを特徴とする請求項１乃至３のいずれか１に記載の遊技機。
【請求項５】
前記球受け皿として、前記払出装置から払い出された遊技球を貯留する上皿と、当該上皿にて余剰となった遊技球を貯留する下皿とを備え、
前記第１通路形成体は、上皿用入口部を有し当該上皿用入口部にて受けた遊技球を前記上皿へ導く上皿用第１通路部と、下皿用入口部を有し当該下皿用入口部にて受けた遊技球を前記下皿へ導く下皿用第１通路部とを備え、
前記下皿用入口部を前記上皿用入口部に対して並設し、当該下皿用入口部により前記上皿用入口部に対する前記球受け部を構成したことを特徴とする請求項１乃至４のいずれか１に記載の遊技機。
【手続補正書】
【提出日】平成21年3月27日(2009.3.27)
【手続補正１】
【補正対象書類名】明細書
【補正対象項目名】００２１
【補正方法】変更
【補正の内容】
【００２１】
先端柔軟チューブ１１は、シース先端に設けられており、好ましくは柔軟性を持った生体整合性の、例えば、ポリウレタンやポリエチレン、ポリエステル、ポリプロピレン、ポリアミド、ポリテトラフルオロエチレン、ポリフッ化ビニリデンなどの合成樹脂で形成することが好ましい。ルーメンを有する管状部材である前記先端柔軟チューブ１１のチューブ長さは、特に限定するものではないが、１〜５０ｍｍ、好ましくは１〜２５ｍｍ、さらに好ましくは、５〜１５ｍｍ程度である。
前記先端柔軟チューブ１１はその先端部を縮径させた形状とされており、血栓捕捉部材２が血栓捕捉部材回収用シース１に収納される際に、前記固定リング２４がストッパ１４に当接して停止した時に、落下傘状に開いた前記フィルタ部２１の開口部を少しすぼめるように作用する。そのために、血栓等を捕捉しているフィルタ部２１を強く圧迫することがなく、フィルタが有している細孔から捕捉物が血管内に漏洩することのない血栓捕捉部材回収用シース１を得ることができる。さらに、先端柔軟チューブ１１を備えるカテーテルとすれば、血管内の病変部通過性が向上すると共に、回収した捕捉物の確実な回収が可能な血栓捕捉カテーテルを得ることができる。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
遊技が実行される遊技装置を有するベース体と、
当該ベース体の前側に設けられ、前記遊技装置における遊技を視認可能とする窓パネル部と、
前記ベース体の後側に設けられ、前記遊技装置における遊技結果に基づいて遊技球を払い出す払出装置と、
前記窓パネル部の下方に設けられ、前記払出装置から払い出された遊技球を貯留する球受け皿と、
前記ベース体に対して前方に回動可能に設けられ、前記窓パネル部及び前記球受け皿を有する遊技機前面体と、
当該遊技機前面体に設けられ入口部にて受けた遊技球を前記球受け皿へ導く第１通路部、及び当該第１通路部よりも上流側を構成し前記入口部に遊技球を導く第２通路部を有し、前記払出装置から払い出された遊技球を前記球受け皿に導く受け皿通路と、
前記遊技機前面体が開放された場合に前記第２通路部の遊技球の通過を阻止する通過阻止手段とを備え、
前記入口部の位置が前記ベース体の背面よりも前側となるように前記第１通路部を形成するとともに、前記ベース体の後側から当該ベース体の背面よりも前側まで延ばして前記第２通路部を形成したことを特徴とする遊技機。
【請求項２】
前記通過阻止手段は、前記第２通路部の出口部に対して出没するシャッター部材であり、
さらに、前記第１通路部の前記入口部を、上方に開放させて形成するとともに、前記第２通路部の出口部を、前記遊技機前面体を閉鎖した状態において前記入口部と上下に対向するように下方に開放させて形成し、
前記第２通路部は、前記出口部付近において当該出口部に向けて下り傾斜となった傾斜部を有することを特徴とする請求項１に記載の遊技機。
【請求項３】
前記通過阻止手段は、前記第２通路部の出口部に対して出没するとともに、前記第１通路部を形成する第１通路形成体に設けられた押出し部に押されることで前記第２通路部の遊技球の通過阻止を解除するシャッター部材であり、
前記第２通路部の遊技球の通過を阻止する方向に前記シャッター部材を付勢する付勢手段を設け、
さらに、前記第１通路部の前記入口部を、上方に開放させて形成するとともに、前記第２通路部の出口部を、前記遊技機前面体を閉鎖した状態において前記入口部と上下に対向するように下方に開放させて形成し、
前記シャッター部材は、前記押出し部と当接する当接部と、前記出口部を遊技球の通過が不可となるよう塞ぐ阻止部とを有し、
前記遊技機前面体が開放される場合、前記阻止部が前記入口部と並んだ状態で遊技球の通過を阻止する阻止位置に移動するよう構成したことを特徴とする請求項１又は２に記載の遊技機。
【請求項４】
前記球受け皿として、前記払出装置から払い出された遊技球を貯留する上皿と、当該上皿にて余剰となった遊技球を貯留する下皿とを備えるとともに、
前記第１通路形成体は、上皿用入口部を有し当該上皿用入口部にて受けた遊技球を前記上皿へ導く上皿用第１通路部と、下皿用入口部を有し当該下皿用入口部にて受けた遊技球を前記下皿へ導く下皿用第１通路部とを備え、
前記第２通路部を形成する第２通路形成体は、前記上皿用入口部に遊技球を導く上皿用第２通路部と、前記下皿用入口部に遊技球を導く下皿用第２通路部とを別々に備えるとともに、前記上皿が満杯状態となり前記上皿用第２通路部の最上流部まで遊技球が待機した場合に前記払出装置から払い出された遊技球を前記下皿用第２通路部に振り分ける球振分部を前記ベース体よりも後側に備え、
さらに、前記押出し部は前記各入口部が左右に並設された受口部であり、当該受口部を前記上皿用入口部が前記遊技機前面体の回動先端側となるよう形成し、
前記当接部を前記受口部における前記上皿用入口部側と当接するよう形成するとともに、前記シャッター部材には前記受口部における前記下皿用入口部側と当接しないように逃げ部を形成したことを特徴とする請求項３に記載の遊技機。
【請求項５】
前記遊技機前面体が開放されたことを検知する開放検知手段と、当該開放検知手段の検知結果に基づいて前記遊技機前面体が開放されたか否かを判定する開放判定手段と、開放判定手段により前記遊技機前面体が開放されたと判定された場合に前記払出装置による遊技球の払い出しを制限する払出制限手段とを備えたことを特徴とする請求項１乃至４のいずれか１に記載の遊技機。
【請求項６】
前記第１通路部の前記入口部を、上方に開放させて形成するとともに、前記第２通路部の出口部を、前記遊技機前面体を閉鎖した状態において前記入口部と上下に対向するように下方に開放させて形成し、
前記遊技機前面体の開放に際して前記入口部と前記出口部との境界部分に遊技球がある場合、前記第２通路部の通路壁の下方を通って前記入口部とともに前方に移動するよう前記境界部分にある遊技球を案内する案内構造を有することを特徴とする請求項１乃至５のいずれか１に記載の遊技機。
【請求項７】
遊技が実行される遊技装置と、
当該遊技装置の前側に設けられ、遊技装置における遊技を視認可能とする窓パネル部と、
前記遊技装置の奥側に設けられ、遊技装置における遊技結果に基づいて遊技球を払い出す払出装置と、
前記窓パネル部の下方に設けられ、前記払出装置から払い出された遊技球を貯留する球受け皿と
を備えた遊技機において、
前方へ回動可能に設けられた遊技機前面体に前記窓パネル部と前記球受け皿とを設けるとともに、前記払出装置から払い出された遊技球を前記球受け皿に導く通路部を前記遊技機前面体に設け、
さらに、前記通路部を流下する遊技球を検知する満杯検知手段と、
満杯検知手段の検知結果に基づいて前記球受け皿が満杯状態であると判定された場合に前記払出装置による遊技球の払い出しを制限する払出制限手段と
を備えたことを特徴とする遊技機。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
遊技を実行可能な価値である有価価値を受け付け、前記受け付けた有価価値を消費しながら遊技を実行し、前記遊技の結果に基づいて賞を付与する遊技機において、
前記遊技の進行及び主ゲームの実行を制御する主遊技制御装置と、
前記主遊技制御装置によって制御される主ゲームの結果に基づいて、従ゲームの実行を制御する従遊技制御装置と、を備え、
前記主遊技制御装置は、
単位時間当たりのゲームの実行回数を制限する主ゲームの実行を制御する主ゲーム制御手段と、
前記主ゲームの結果に対応して前記従ゲームの実行を前記従遊技制御装置に指示する従ゲーム実行指示手段と、
前記主ゲーム又は前記従ゲームの結果に対応して前記主ゲームに使用可能な遊技ポイントを付与する価値付与手段と、を備え、
前記従遊技制御装置は、前記従ゲームの実行を制御することによって前記主ゲームの実行に基づく特別遊技状態の発生確率を制限する従ゲーム制御手段を備え、
前記従ゲーム実行指示手段は、前記従遊技制御装置に従ゲームの実行を指示可能な従ゲーム実行指示可能数を記憶する従ゲーム実行指示可能数記憶手段を備え、
前記価値付与手段は、前記従ゲーム実行指示可能数記憶手段に記憶された前記従ゲーム実行指示可能数を参照し、該従ゲーム実行指示可能数が大きい場合には、遊技者に付与される遊技ポイントの量が大きくなるように該遊技者に付与される遊技ポイントの量を決定する付与価値量決定手段を備えることを特徴とする遊技機。
【請求項２】
前記付与価値量決定手段は、
前記従ゲーム実行指示可能数と付与する遊技ポイントの量に対する係数との対応関係を定めた情報である係数決定情報を記憶する係数決定情報記憶手段を備え、
前記従ゲーム実行指示可能数を参照し、前記遊技者に付与された賞に対応する前記従ゲーム実行指示可能数に前記係数決定情報を参照して取得した係数を乗じて遊技者に付与される遊技ポイントの量を決定することを特徴とする請求項１に記載の遊技機。
【請求項３】
前記付与価値量決定手段は、
少なくとも賞の種類と賞に対応して前記遊技者に付与される遊技ポイントの量との対応関係を定めた情報である価値付与対応関係情報を記憶する価値付与対応関係記憶手段を備え、
前記価値付与対応関係情報を参照して、遊技者に付与された賞の種類に基づいて前記遊技者に付与される遊技ポイントの量を決定することを特徴とする請求項１に記載の遊技機。
【請求項４】
前記価値付与対応関係情報は、さらに、賞の種類及び前記賞に対応して前記遊技者に付与される遊技ポイントの量と、前記従ゲーム実行指示可能数との対応関係を定め、
前記付与価値量決定手段は、遊技者に付与された賞の種類及び前記従ゲーム実行指示可能数に基づいて、前記遊技者に付与される遊技ポイントの量を決定することを特徴とする請求項３に記載の遊技機。
【請求項５】
前記価値付与対応関係情報は、さらに、賞の種類及び前記賞に対応して前記遊技者に付与される遊技ポイントの量と、前記主ゲームの遊技状態又は前記従ゲームの遊技状態との対応関係を定め、
前記付与価値量決定手段は、遊技者に付与された賞の種類及び前記主ゲームの遊技状態又は前記従ゲームの遊技状態に基づいて、前記遊技者に付与される遊技ポイントの量を決定することを特徴とする請求項３又は４に記載の遊技機。
【請求項６】
前記付与価値量決定手段は、前記特別遊技状態中に付与される遊技ポイントについて、前記従ゲーム実行指示可能数が大きい場合には、遊技者に付与される遊技ポイントの量が大きくなるように該遊技者に付与される遊技ポイントの量を決定し、
前記従ゲーム実行指示可能数記憶手段は、前記特別遊技状態が発生した場合には、記憶されている前記従ゲーム実行指示可能数を初期状態にすることを特徴とする請求項１から４のいずれか一つに記載の遊技機。
【請求項７】
前記従ゲーム制御手段は、
前記従ゲーム実行指示手段により指示された前記従ゲームの実行指示の数を、所定数を上限にして記憶可能な従ゲーム実行指示数記憶手段を備え、
前記従ゲーム実行指示数記憶手段に記憶された従ゲーム実行指示の記憶数が大きい場合には、前記従ゲームの遊技実行時間を短縮することを特徴とする請求項６に記載の遊技機。
【請求項８】
前記付与価値量決定手段は、前記特別遊技状態中に付与される遊技ポイントについて、前記従ゲーム実行指示可能数が大きい場合には、遊技者に付与される遊技ポイントの量が大きくなるように該遊技者に付与される遊技ポイントの量を決定し、
前記従ゲーム実行指示可能数記憶手段は、前記特別遊技状態が発生した場合には、記憶されている前記従ゲーム実行指示可能数を初期状態にすることを特徴とする請求項５に記載の遊技機。
【請求項９】
前記従ゲーム制御手段は、
前記従ゲーム実行指示手段により指示された前記従ゲームの実行指示の数を、所定数を上限にして記憶可能な従ゲーム実行指示数記憶手段を備え、
前記従ゲーム実行指示数記憶手段に記憶された従ゲーム実行指示の記憶数が大きい場合には、前記従ゲームの遊技実行時間を短縮することを特徴とする請求項８に記載の遊技機。
【手続補正２】
【補正対象書類名】明細書
【補正対象項目名】０００７
【補正方法】変更
【補正の内容】
【０００７】
本発明の代表的な一形態によると、遊技を実行可能な価値である有価価値を受け付け、前記受け付けた有価価値を消費しながら遊技を実行し、前記遊技の結果に基づいて賞を付与する遊技機において、前記遊技の進行及び主ゲームの実行を制御する主遊技制御装置と、前記主遊技制御装置によって制御される主ゲームの結果に基づいて、従ゲームの実行を制御する従遊技制御装置と、を備え、前記主遊技制御装置は、単位時間当たりのゲームの実行回数を制限する主ゲームの実行を制御する主ゲーム制御手段と、前記主ゲームの結果に対応して前記従ゲームの実行を前記従遊技制御装置に指示する従ゲーム実行指示手段と、前記主ゲーム又は前記従ゲームの結果に対応して前記主ゲームに使用可能な遊技ポイントを付与する価値付与手段と、を備え、前記従遊技制御装置は、前記従ゲームの実行を制御することによって前記主ゲームの実行に基づく特別遊技状態の発生確率を制限する従ゲーム制御手段を備え、前記従ゲーム実行指示手段は、前記従遊技制御装置に従ゲームの実行を指示可能な従ゲーム実行指示可能数を記憶する従ゲーム実行指示可能数記憶手段を備え、前記価値付与手段は、前記従ゲーム実行指示可能数記憶手段に記憶された前記従ゲーム実行指示可能数を参照し、該従ゲーム実行指示可能数が大きい場合には、遊技者に付与される遊技ポイントの量が大きくなるように該遊技者に付与される遊技ポイントの量を決定する付与価値量決定手段を備える。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
ケースと、発熱ユニットと、放熱体と、ケースの上蓋との組合せから構成される液体蒸散器用発熱装置であって、
前記ケースは、電気絶縁材料をもって一定形状に成形された無蓋、有底の中空容器であり、
前記発熱ユニットは、発熱素子と、該発熱素子に給電する電極面を備えた対の端子との組合せであり、前記ケース内に収容され、
前記上蓋は、ケースを施蓋する絶縁板であり、
前記放熱体は、熱伝導性に優れた金属板であり、少なくともケースに組みつけられ、平坦な受熱面を有し、
前記受熱面は、前記上蓋の絶縁板の上面のほぼ全面に接触させ、前記発熱ユニットの発する熱を前記上蓋を通して受熱し、被加熱物を加熱又は加温するものであることを特徴とする液体蒸散器用発熱装置。
【請求項２】
ケースと、発熱ユニットと、放熱体と、ケースの上蓋との組合せから構成される液体蒸散器用発熱装置であって、
前記ケースは、電気絶縁材料をもって一定形状に成形された無蓋、有底の中空容器であり、
前記発熱ユニットは、発熱素子と、該発熱素子に給電する電極面を備えた対の端子との組合せであり、前記ケース内に収容され、
前記上蓋は、ケースを施蓋する絶縁板であり、周縁に鍔縁を有し、
鍔縁は、絶縁板の周縁を立ち下げた部分であり、ケース内に嵌合され、
前記放熱体は、熱伝導性に優れた金属板であり、少なくともケースに組みつけられ、平坦な受熱面を有し、
前記受熱面は、前記上蓋の絶縁板の上面のほぼ全面に接触させ、前記発熱ユニットの発する熱を前記上蓋を通して受熱し、被加熱物を加熱又は加温するものであることを特徴とする液体蒸散器用発熱装置。
【請求項３】
前記発熱ユニットと、前記放熱体間は、前記上蓋の絶縁板の厚みに、鍔縁の内側の立ち上がり高さの２倍を加えた長さに相当する沿面距離が確保されているものであることを特徴とする請求項２に記載の液体蒸散器用発熱装置。
【請求項４】
前記ケースの内底には、前記発熱ユニットの組合せを保持するリブが上向きに突出形成され、
前記発熱素子に給電する電極面を備えた対の端子は、平坦な電極面を備えた平端子と、電極面にばね性を付与したばね端子であり、
前記発熱ユニットは、ばね端子、発熱素子、平端子の順でリブ間に保持され、
前記上蓋の鍔縁は、リブの外面に係止され、
前記上蓋は、リブに鍔縁を係止させることによって、両端子の電極面間に発熱素子を緊締させるとともに、平端子の電極板を上蓋の絶縁板の下面に圧接させてケースの上面開口を施蓋するものであることを特徴とする請求項２に記載の液体蒸散器用発熱装置。
【請求項５】
前記発熱ユニットを収容して前記上蓋で施蓋したケースと、放熱体との組合せによって構成される液体蒸散器用発熱装置であって、
前記ケースの外壁の対向面には、保持溝が形成され、
前記放熱体は、受熱面の両縁にクリップを有し、
前記クリップは、放熱体の受熱面の両縁より舌状に延びる板面を下向きに折曲することによって形成され、金属板の有するばね作用を利用して両クリップを互いに接近する方向に付勢したものであり、両クリップをケースの両保持溝内に圧入することによって、放熱体をケースに結合するものであることを特徴とする請求項１又は２のいずれかに記載の液体蒸散器用発熱装置。
【請求項６】
前記クリップと、該クリップを圧入するケースの保持溝とのいずれか一方に小穴を、他方に突子を有し、該小穴内に突子を係合させることによって、前記ケースの保持溝から放熱体のクリップの脱落を防止することを特徴とする請求項５に記載の液体蒸散器用発熱装置。
【手続補正２】
【補正対象書類名】明細書
【補正対象項目名】００１１
【補正方法】変更
【補正の内容】
【００１１】
本発明の発熱装置は、発熱ユニットをケース内に収め、ケースを上蓋で施蓋することによって、発熱ユニットを小型にまたコンパクトにまとめられ、このケースに放熱体を組みつけることによって発熱装置を組立てることができ、また、ケースに組み付ける放熱体の一部には、上蓋の上面のほぼ全面に接触する平坦な受熱面を設けることによって熱効率を高めることができ、さらに、上蓋の周縁に鍔縁を設けて発熱ユニットと、放熱体間の沿面距離として、絶縁板の厚みに鍔縁の内側の立上り高さの２倍以上を加えた長さの距離を確保でき、したがって、上蓋の厚みが薄くても十分な絶縁耐力が得られ、上蓋の厚みを薄くすることによって、さらに発熱ユニットと、放熱体間の熱効率を高めることができる。
【手続補正３】
【補正対象書類名】明細書
【補正対象項目名】００１７
【補正方法】変更
【補正の内容】
【００１７】
実施例において、ケース１の上蓋２は絶縁板であり、角型の絶縁板２ａが一定の高さで立ち上がる鍔縁２ｂでその四周縁が支えられたものである。この鍔縁２ｂをリブ５に嵌合させ、鍔縁２ｂをリブ５の外面に係止させ、絶縁板２ａを圧下すると、ばね端子１０のばね力を上向きに作用させてばね端子１０の電極面１０ａと、平端子１１の電極面１１ａとの間に発熱素子９を緊締させるとともに、平端子１１を上蓋２の絶縁板２ａの下面に圧接してケース１の上面開口を施蓋できる。
【手続補正４】
【補正対象書類名】明細書
【補正対象項目名】００２４
【補正方法】変更
【補正の内容】
【００２４】
また、実施例において、上蓋２の下面周縁に設けた鍔縁２ｂには、発熱ユニット３と、放熱体４の受熱面４ａ間は、上蓋の絶縁板２ａの厚みに、鍔縁２ｂの内側の立ち上がり高さの２倍を加えた長さの沿面距離を確保でき、また、上蓋２に薄肉の絶縁板２ａを用いて大きな絶縁耐力を確保することができる。本発明において、放熱体４は必ずしも筒状でなくてよい。重要な点は発熱ユニット３の発する熱を受熱して被加熱物を加熱又は加温することである。放熱体４が平坦な受熱面４ａと、クリップ６との組合せで形成されたときには、受熱面上にマット状の被加熱物を設置してこれを加熱又は加温することができる。